【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】配列番号：３で表わされるアミノ酸配列と同一もしくは実質的に同一のアミノ酸配列を含有するレセプター蛋白質に対する結合能を有するポリペプチドもしくはその前駆体またはそのアミドもしくはそのエステルまたはその塩。
【請求項２】配列番号：３で表わされるアミノ酸配列からなるレセプター蛋白質に対する結合能を有するポリペプチドもしくはその前駆体またはそのアミドもしくはそのエステルまたはその塩。
【請求項３】ポリペプチドが配列番号：１で表されるアミノ酸配列と同一もしくは実質的に同一のアミノ酸配列を含有するポリペプチドである請求項１記載のポリペプチド。
【請求項４】ポリペプチドが配列番号：１で表されるアミノ酸配列からなるポリペプチドである請求項２記載のポリペプチド。
【請求項５】ポリペプチドが配列番号：１５、配列番号：３８、配列番号：４０または配列番号：４２で表されるアミノ酸配列の部分配列を含有するポリペプチドである請求項１または２記載のポリペプチド。
【請求項６】ポリペプチドが（ａ）配列番号：１５、３８、４０または４２で表されるアミノ酸配列の第６番目から第７７番目のアミノ酸配列を有するペプチド、（ｂ）配列番号：１５、３８、４０または４２で表されるアミノ酸配列の第４０番目から第７７番目のアミノ酸配列を有するペプチド、（ｃ）配列番号：１５、３８、４０または４２で表されるアミノ酸配列の第４２番目から第７７番目のアミノ酸配列を有するペプチド、（ｄ）配列番号：１５、３８、４０または４２で表されるアミノ酸配列の第４７番目から第７７番目のアミノ酸配列を有するペプチド、（ｅ）配列番号：１５、３８、４０または４２で表されるアミノ酸配列の第６１番目から第７７番目のアミノ酸配列を有するペプチド、（ｆ）配列番号：１５、３８、４０または４２で表されるアミノ酸配列の第６５番目から第７７番目のアミノ酸配列を有するペプチドまたはそのＮ末端のアミノ酸（Ｇｌｎ）がピログルタミン酸化したアミノ酸配列を有するペプチド、（ｇ）配列番号：１５、３８、４０または４２で表されるアミノ酸配列の第１番目から第２５番目のアミノ酸配列を有するペプチド、（ｈ）配列番号：１５、３８、４０または４２で表されるアミノ酸配列の第６番目から第２５番目のアミノ酸配列を有するペプチド、（ｉ）配列番号：１５、３８、４０または４２で表されるアミノ酸配列の第４２番目から第６４番目のアミノ酸配列を有するペプチド、（ｊ）配列番号：１５、３８、４０または４２で表されるアミノ酸配列の第６１番目から第６４番目のアミノ酸配列を有するペプチド、（ｋ）配列番号：１５、３８、４０または４２で表されるアミノ酸配列の第４３番目から第７７番目のアミノ酸配列を有するペプチド、（ｌ）配列番号：１５、３８、４０または４２で表されるアミノ酸配列の第４１番目から第７７番目のアミノ酸配列を有するペプチド、（ｍ）配列番号：１５、３８、４０または４２で表されるアミノ酸配列の第６６番目から第７７番目のアミノ酸配列を有するペプチド、（ｎ）配列番号：１５、３８、４０または４２で表されるアミノ酸配列の第６７番目から第７７番目のアミノ酸配列を有するペプチド、（ｏ）配列番号：１５、３８、４０または４２で表されるアミノ酸配列の第６４番目から第７７番目のアミノ酸配列を有するペプチド、（ｐ）配列番号：１５、３８、４０または４２で表されるアミノ酸配列の第６３番目から第７７番目のアミノ酸配列を有するペプチド、（ｑ）配列番号：１５、３８、４０または４２で表されるアミノ酸配列の第６５番目から第７６番目のアミノ酸配列を有するペプチドまたは（ｒ）配列番号：１５、３８、４０または４２で表されるアミノ酸配列の第６５番目から第７５番目のアミノ酸配列を有するペプチドである請求項１または２記載のポリペプチド。
【請求項７】ポリペプチドが配列番号：１５、配列番号：３８、配列番号：４０または配列番号：４２で表されるアミノ酸配列の第６５番目から第７７番目のアミノ酸配列を含有するポリペプチドである請求項１または２記載のポリペプチド。
【請求項８】ポリペプチドがpGlu Arg Pro Arg Leu Ser His Lys Gly Pro Met Pro Pheで表されるアミノ酸配列を含有するポリペプチドである請求項１または２記載のポリペプチド。
【請求項９】ポリペプチドが配列番号：１５、配列番号：３８、配列番号：４０または配列番号：４２で表されるアミノ酸配列の第４２番目から第７７番目のアミノ酸配列を含有するポリペプチドである請求項１または２記載のポリペプチド。
【請求項１０】前駆体が、配列番号：１５で表されるアミノ酸配列と同一もしくは実質的に同一のアミノ酸配列を有するポリペプチドである請求項１記載のポリペプチド。
【請求項１１】前駆体が、配列番号：３８で表されるアミノ酸配列と同一もしくは実質的に同一のアミノ酸配列を有するポリペプチドである請求項１記載のポリペプチド。
【請求項１２】前駆体が、配列番号：４０で表されるアミノ酸配列と同一もしくは実質的に同一のアミノ酸配列を有するポリペプチドである請求項１記載のポリペプチド。
【請求項１３】前駆体が、配列番号：４２で表されるアミノ酸配列と同一もしくは実質的に同一のアミノ酸配列を有するポリペプチドである請求項１記載のポリペプチド。
【請求項１４】配列番号：３で表わされるアミノ酸配列と同一もしくは実質的に同一のアミノ酸配列を含有するレセプター蛋白質に対する結合能を有するポリペプチドもしくはその前駆体をコードする塩基配列を有するＤＮＡを含有するＤＮＡ。
【請求項１５】ポリペプチドが配列番号：１で表されるアミノ酸配列と同一もしくは実質的に同一のアミノ酸配列を含有するポリペプチドである請求項１４記載のＤＮＡ。
【請求項１６】ポリペプチドが配列番号：１５、配列番号：３８、配列番号：４０または配列番号：４２で表されるアミノ酸配列の第６５番目から第７７番目のアミノ酸配列を含有するポリペプチドである請求項１４記載のＤＮＡ。
【請求項１７】ポリペプチドが配列番号：１５、配列番号：３８、配列番号：４０または配列番号：４２で表されるアミノ酸配列の第４２番目から第７７番目のアミノ酸配列を含有するポリペプチドである請求項１４記載のＤＮＡ。
【請求項１８】前駆体が、配列番号：１５で表されるアミノ酸配列と同一もしくは実質的に同一のアミノ酸配列を有するポリペプチドである請求項１４記載のＤＮＡ。
【請求項１９】前駆体が、配列番号：３８で表されるアミノ酸配列と同一もしくは実質的に同一のアミノ酸配列を有するポリペプチドである請求項１４記載のＤＮＡ。
【請求項２０】前駆体が、配列番号：４０で表されるアミノ酸配列と同一もしくは実質的に同一のアミノ酸配列を有するポリペプチドである請求項１４記載のＤＮＡ。
【請求項２１】前駆体が、配列番号：４２で表されるアミノ酸配列と同一もしくは実質的に同一のアミノ酸配列を有するポリペプチドである請求項１４記載のＤＮＡ。
【請求項２２】請求項１４記載のＤＮＡを含有する組換えベクター。
【請求項２３】請求項１４記載のＤＮＡまたは請求項２２記載の組換えベクターを保持する形質転換体。
【請求項２４】請求項２３記載の形質転換体を培養することを特徴とする請求項１記載のポリペプチド、その部分ペプチドまたはその塩の製造法。
【請求項２５】請求項１記載のポリペプチドもしくはその部分ペプチドまたはそのアミドもしくはそのエステルまたはその塩を含有してなる医薬。
【請求項２６】請求項１４記載のＤＮＡを含有してなる医薬。
【請求項２７】中枢神経機能調節剤、循環機能調節剤、心臓機能調節剤、免疫機能調節剤、消化器機能調節剤、代謝機能調節剤または生殖器機能調節剤である請求項２５または請求項２６記載の医薬。
【請求項２８】請求項１記載のポリペプチドもしくはその前駆体またはそのアミドもしくはそのエステルまたはその塩に対する抗体。
【請求項２９】請求項２６記載の抗体を含有してなる診断剤。
【請求項３０】請求項１記載のポリペプチドまたはそのアミドもしくはそのエステルまたはその塩と配列番号：３で表わされるアミノ酸配列と同一もしくは実質的に同一のアミノ酸配列を含有するレセプター蛋白質を用いることを特徴とする配列番号：３で表わされるアミノ酸配列と同一もしくは実質的に同一のアミノ酸配列を含有するレセプター蛋白質と請求項１記載のポリペプチドまたはそのアミドもしくはそのエステルまたはその塩との結合性を変化させる化合物またはその塩のスクリーニング方法。